(57)【要約】【課題】光ディスクの記録条件調整を実行する場合に、調整に要する時間を低減する。【解決手段】記録条件調整方法では、調整の結果に応じて記録品質が順序を追って向上する複数の調整段階に切り分けられており、調整の結果を時間経過に対応して確認し、記録されたマーク、スペース信号の品質が予め設定された品質を超えた段階で、記録条件調整を終了させる。【選択図】図８
2009003987.tif 000002
【特許請求の範囲】
【請求項１】
マークとスペースによるパターン列を光学的情報記録媒体に形成する光学的情報記録再生装置のレーザ光の強度変調条件を調整する記録条件調整方法であって、
前記記録条件調整方法は、
順次実行することによって、記録品質が段階的に向上する複数の調整段階を含み、
前記複数の調整段階のうちの任意の調整段階が終了したときに、記録されたマークとスペースの品質が、予め設定された設定品質を満たすか否かを判定する判定ステップと、
その判定の結果、前記マークと前記スペースの品質が、前記設定品質を超えているときに、前記任意の調整段階で記録条件調整を終了する調整終了ステップと
を具備する
記録条件調整方法。
【請求項２】
請求項１に記載の記録条件調整方法において、
前記複数の調整段階は、
最短マーク記録のための最短マーク調整ステップと、
記録するレーザパワーを調整する記録パワー調整ステップと、
前記最短マークより１記録単位長以上長いマークを記録するための第１記録パルス幅調整ステップと、
マークの直後のスペース長に応じてマークを記録する第２記録パルス幅調整ステップと
を含み、
前記判定ステップは、
前記記録されたマークとスペースによるパターン列を再生して得られた再生信号を評価した値を評価指標としたときに、前記評価指標の目標値を前記設定品質として、
前記最短マーク調整ステップ、前記記録パワー調整ステップ、前記第１記録パルス幅調整ステップおよび前記第２記録パルス幅調整ステップの少なくとも一つを実行した後に、前記マークと前記スペースの品質が前記設定品質を満たすか否かを、前記評価指標に基づき判定するステップを含む
記録条件調整方法。
【請求項３】
請求項２に記載の記録条件調整方法において、
前記複数の調整段階は、トップパルス、ミドルパルスおよびラストパルスからなるパルストレインを用いて記録ストラテジの調整を実行し、
前記最短マーク調整ステップは、
前記パルストレインにおけるトップパルス、ミドルパルスおよびラストパルスの幅を一律にその幅を変更し、記録されたマーク、スペース信号の品質がもっとも良好なパルス幅を基本パルス幅とし、前記基本パルス幅を元に、前記最短マークに対応したトップパルス幅を決定するステップを含み、
前記記録パワー調整ステップは、
初期のパワーを中心に記録パワーとバイアスパワーとを変更して評価指標を用いて順次パワーを決定するステップを含み、
前記第１記録パルス幅調整ステップは、
前記最短マークより１記録単位長以上長いいずれかの長さのマークを記録するためのトップパルスの幅を変更し前記最短マークより長いマーク記録のためのトップパルスの幅を設定するステップを含み、
前記第２記録パルス幅調整ステップは、
直後のスペース長が２記録単位長の場合、２記録単位長、３記録単位長、４記録単位長以上のマーク長それぞれに対応する記録ストラテジの最後端エッジ位置を、基本パルス幅を基準に、同一量、同一方向に変更して前記評価指標が最良となるパラメータを決定するステップと、
直後のスペース長が３記録単位長の場合、２記録単位長、３記録単位長、４記録単位長以上のマーク長それぞれに対応する記録ストラテジの最後端エッジ位置を、基本パルス幅を基準に、同一量、同一方向に変更して前記評価指標が最良となるパラメータを決定するステップと
直後のスペース長が４記録単位長以上の場合、２記録単位長、３記録単位長、４記録単位長以上のマーク長それぞれに対応する記録ストラテジの最後端エッジ位置を、基本パルス幅を基準に、同一量、同一方向に変更して前記評価指標が最良となるパラメータを決定するステップと
を含む
記録条件調整方法。
【請求項４】
請求項３に記載の記録条件調整方法において、
前記評価指標は、
再生信号に基づいて算出されるＰＲＳＮＲ値またはエラーレートのいずれかである
記録条件調整方法。
【請求項５】
光ヘッド部と制御部とシステムコントローラからなる光学的情報記録再生装置であって、
前記システムコントローラは、
上位層からの目標設定品質として保持するレジスタと、
記録ストラテジ調整器と、
記録品質判定器と、
調整段階切り替え器と
を備え、
前記記録ストラテジ調整器は、
記録品質が段階的に向上する複数の調整段階を順次実行し、各調整段階で得られた評価指標に基づき、マークとスペースによるパターン列を光学的情報記録媒体に形成するためのレーザ光の強度変調条件を調整し、
前記記録品質判定器は、
前記記録ストラテジ調整器による調整の結果から、前記評価指標と前記目標設定品質とを比較することで調整終了が可能であるか否かを判定し、
前記調整段階切り替え器は、
前記記録品質判定器の結果より調整終了が可能となった調整段階で、記録条件調整を終了させることを特徴とする
光学的情報記録再生装置。
【請求項６】
請求項５に記載の光学的情報記録再生装置において、
前記記録されたマークとスペースによるパターン列を再生した再生信号を、その品質に基づいて評価した値を評価指標とし、
前記評価指標の目標値を前記目標設定品質として、
前記記録ストラテジ調整器は、
最短マーク記録のための最短マーク調整処理と、
記録するレーザパワーを調整する記録パワー調整処理と、
前記最短マークより１記録単位長以上長いマークを記録するための第１記録パルス幅調整処理と、
マークの直後のスペース長に応じてマークを記録する第２記録パルス幅調整処理と
を実行し、
前記記録品質判定器は、
前記最短マーク調整処理、前記記録パワー調整処理、前記第１記録パルス幅調整処理および前記第２記録パルス幅調整処理の少なくとも一つを実行した後に、前記マークと前記スペースの品質が前記設定品質を満たすか否かを、前記評価指標に基づき判定する
光学的情報記録再生装置。
【請求項７】
請求項６に記載の光学的情報記録再生装置において、
前記記録ストラテジ調整器は、トップパルス、ミドルパルスおよびラストパルスからなるパルストレインを用いて、
前記最短マーク調整処理において、
パルストレインにおけるトップパルス、ミドルパルスおよびラストパルスの幅を一律にその幅を変更し、記録されたマーク、スペース信号の品質がもっとも良好なパルス幅を基本パルス幅とし、前記基本パルス幅を元に、前記最短マークに対応したトップパルス幅を決定し、
前記記録パワー調整処理において、
初期のパワーを中心に記録パワーとバイアスパワーとを変更して評価指標を用いて順次パワーを決定し、
前記第１記録パルス幅調整処理において、
前記最短マークより１記録単位長以上長いいずれかの長さのマークを記録するためのトップパルスの幅を変更し前記最短マークより長いマーク記録のためのトップパルスの幅を設定し、
前記第２記録パルス幅調整処理において、
直後のスペース長が２記録単位長の場合、２記録単位長、３記録単位長、４記録単位長以上のマーク長それぞれに対応する記録ストラテジの最後端エッジ位置を、基本パルス幅を基準に、同一量、同一方向に変更して評価指標が最良となるパラメータを決定し、
直後のスペース長が３記録単位長の場合、２記録単位長、３記録単位長、４記録単位長以上のマーク長それぞれに対応する記録ストラテジの最後端エッジ位置を、基本パルス幅を基準に、同一量、同一方向に変更して評価指標が最良となるパラメータを決定し、
直後のスペース長が４記録単位長以上の場合、２記録単位長、３記録単位長、４記録単位長以上のマーク長それぞれに対応する記録ストラテジの最後端エッジ位置を、基本パルス幅を基準に、同一量、同一方向に変更して評価指標が最良となるパラメータを決定する
光学的情報記録再生装置。
【請求項８】
請求項７に記載の光学的情報記録再生装置において、
前記評価指標は、
再生信号に基づいて算出されるＰＲＳＮＲ値またはエラーレートである
光学的情報記録再生装置。
【請求項９】
請求項６に記載の光学的情報記録再生装置を構成するシステムコントローラとバスを介して接続される記録条件入力装置を備える光学的情報記録再生システムであって、
前記記録条件入力装置は、
前記光学的情報記録再生装置とデータ通信可能に接続された装置本体と、
ユーザの操作に応答して前記装置本体に設定品質を示す設定品質データを入力する入力装置と、
前記ユーザの操作を支援する表示画面を提供する出力装置と、
を具備し、
前記装置本体は、
前記表示画面を表示するためのアプリケーションプログラムに示される手順に応答して前記表示画面を前記出力装置に表示させ、
前記表示画面は、
前記レーザ光の強度変調条件を調整して、記録品質を設定するか否かを選択させるための第１選択領域と、
記録品質が異なる複数の調整段階から、一つの調整段階を選択するための第２選択領域と
を備える
光学的情報記録再生システム。
【請求項１０】
請求項９に記載の光学的情報記録再生システムにおいて、
前記記録条件入力装置は、
前記第２選択領域に表示される前記複数の調整段階から選択された前記一つの調整段階を示すデータを、前記設定品質データとして前記光学的情報記録再生装置に供給する
光学的情報記録再生システム。
【請求項１１】
マークとスペースによるパターン列を光学的情報記録媒体に形成する光学的情報記録再生装置のレーザ光の強度変調条件を入力する記録条件入力装置であって、
前記記録条件入力装置は、
前記光学的情報記録再生装置とデータ通信可能に接続された装置本体と、
ユーザの操作に応答して前記装置本体に設定品質を示す設定品質データを入力する入力装置と、
前記ユーザの操作を支援する表示画面を提供する出力装置と、
を具備し、
前記装置本体は、
前記表示画面を表示するためのアプリケーションプログラムに示される手順に応答して前記表示画面を前記出力装置に表示させ、
前記表示画面は、
前記レーザ光の強度変調条件を調整して、記録品質を設定するか否かを選択させるための第１選択領域と、
記録品質が異なる複数の調整段階から、一つの調整段階を選択するための第２選択領域と
を備える
記録条件入力装置。
【請求項１２】
システムコントローラと記録条件入力装置とを具備する光学的情報記録媒体の記録条件調整装置であって、
前記記録条件入力装置は、
前記光学的情報記録再生装置とデータ通信可能に接続された装置本体と、
ユーザの操作に応答して前記装置本体に設定品質を示す設定品質データを入力する入力装置と、
前記ユーザの操作を支援する表示画面を提供する出力装置と、
を具備し、
前記装置本体は、
前記表示画面を表示するためのアプリケーションプログラムに示される手順に応答して前記表示画面を前記出力装置に表示させ、
前記表示画面は、
前記レーザ光の強度変調条件を調整して、記録品質を設定するか否かを選択させるための第１選択領域と、記録品質が異なる複数の調整段階から、一つの調整段階を選択するための第２選択領域とを備え、
前記システムコントローラは、
記録品質が段階的に向上する複数の調整段階を順次実行することで、マークとスペースによるパターン列を光学的情報記録媒体に形成するためのレーザ光の強度変調条件を調整する記録ストラテジ調整器と、
前記記録ストラテジ調整器による調整の結果から、再生信号評価指標と記録品質の目標値とを比較することで調整終了が可能であるか否かを判定する記録品質判定器と、
前記記録品質判定器の結果より調整終了が可能となった調整段階で、記録条件調整を終了させる調整段階切り替え器と
を具備することを特徴とする
記録条件調整装置。
【請求項１３】
マークとスペースによるパターン列を光学的情報記録媒体に形成する光学的情報記録再生装置のレーザ光の強度変調条件を調整する記録条件制御装置であって、
記録品質の目標値を保持するレジスタと、
記録ストラテジ調整を段階的に実行する記録ストラテジ調整器と、
段階的に実行される記録ストラテジ調整で、特定の調整が終了したときに、調整結果がその目標値に合致するか否かを判断する記録品質判定器と、
その目標値に合致した場合、その段階で記録ストラテジ調整を終了し、合致しない場合には、後段の記録ストラテジ調整を実行することを指示する調整段階切り替え器と
を具備し、
記録品質判定器は、
前記記録ストラテジ調整器による調整の結果から得られる再生信号評価指標と、前記目標値とを比較することで、調整終了が可能であるか否かを判定し、
調整段階切り替え器は、
前記記録品質判定器の結果より、調整終了が可能となった調整段階で、記録ストラテジ調整の終了を前記記録ストラテジ調整器に指示する
記録条件制御装置。
【請求項１４】
光学的情報記録媒体の記録ストラテジを調整する記録条件調整方法であって、
（ａ）段階的に実行する記録ストラテジ調整の、各調整段階で行うストラテジ調整処理を特定するステップと、
（ｂ）ストラテジ調整処理を終了するための条件を設定するステップと、
（ｃ）段階的に実行されたストラテジ調整で、特定のストラテジ調整処理が終了したときに、調整結果がその条件に合致するか否かを判断するステップと、
（ｄ）その条件に合致した場合、その段階でストラテジ調整処理を終了し、合致しない場合には、後段のストラテジ調整処理を実行するステップと
を具備する
記録条件調整方法。
【発明の詳細な説明】
【技術分野】
【０００１】
本発明は、情報記録媒体の記録条件調整方法および情報記録再生装置に関し、特に高密度光ディスクの記録再生装置および高密度光ディスクの記録条件調整方法に関する。
【背景技術】
【０００２】
情報処理装置の周辺機器や、ＡＶ機器などに、光ディスク装置が用いられることが多くなってきている。光ディスク装置とは、光ヘッドを用いて、光ディスクに情報を記録したり、記録された情報を読みだしたりする装置である。そのような光ディスク装置において、記録または再生時に光ディスク装置の性能そのものを左右するいくつかの要因が存在する。
【０００３】
記録に関していえば、記録マークを形成する光ビームの制御はその中でも非常に重要な制御である。光ビームの制御は一般的に、記録パワー、バイアスパワーなどの出力レベルと、記録用のレーザパルスのパルス幅（時間方向）の制御により成り立つが、光ディスク業界では、両者を包括して記録ストラテジと呼んでいる。
【０００４】
記録ストラテジにはいろいろな形態がある。記録ストラテジは、記録するメディアによって、パワレベルやパルス形状が異なる場合がある。例えば、１回だけ記録可能な追記型光ディスクであるＤＶＤ−Ｒなどでは、矩形形の記録ストラテジ（ノンマルチ型記録ストラテジとも呼ばれる）が用いられている。また、繰り返し書き換えが可能型光ディスクであるＤＶＤ−ＲＷでは、マルチパルス型の記録ストラテジ（パルストレイン型記録ストラテジとも呼ばれる）が用いられている。また、記録マークを形成しないスペース部での出力レベルは、追記型媒体ではバイアスパワー、書き換えが可能型光ディスクでは、以前存在した記録マークを消去する作用があるので消去パワーと呼ばれている。
【０００５】
近年出荷され始めた次世代ＤＶＤであるＨＤ  ＤＶＤ（Ｈｉｇｈ  Ｄｅｆｉｎｉｔｉｏｎ  ＤＶＤ）の場合、追記型のＨＤ  ＤＶＤ−Ｒも書き換え可能型のＨＤ  ＤＶＤ−ＲＷまたはＨＤ  ＤＶＤ−ＲＡＭもマルチパルス型の記録ストラテジを使用している。記録ストラテジは、光ディスクの記録再生性能に大きく影響する。そのため、多くの記録ストラテジ調整方法が知られている（例えば、特許文献１〜５参照。）。
【０００６】
特許文献１（特開２０００−１８２２４４号公報）には、記録ストラテジの調整方法として、記録パワーや記録ストラテジのパラメータにいくつかの水準を割り当て、各組合せで網羅的に実験を行ない、最適なものを選択する技術が開示されている。特許文献２（特開２０００−３０２５４号公報）には、記録ストラテジのパラメータの調整と記録パワーの調整を別々に行ない、記録パワーに関しては理論的なマーク長を指針として決定する技術が開示されている。
【０００７】
また、特許文献３（特開２００１−１５５３４０号公報）には、ＣＡＶ、ＺＣＡＶ、もしくは任意の速度のＣＬＶ記録に適用可能で、簡単な制御方法で記録を行なう技術が記載されている。この技術は、記録線速度が可変である光記録媒体にマルチパルス方式により記録マークを形成する際、設定可能な最高線速度で最適化された発光パターン及びパルス長設定を基本とし、記録マークを形成するためのパルス列に対し、パルスの種類ごとに記録パワを割り当てて、これにより２つ以上の異なる記録パワーにより上記のパルス列が生成されるようにする。そして各記録パワーを記録線速度又は光記録媒体の記録位置に応じて制御するものである。この技術のように記録パワーを記録線速度又は記録位置に合わせて制御することで、記録ストラトジの発光パルス長を一定に固定しても、実用線速度範囲で低ジッタにより記録を行なうことができると述べられている。
【０００８】
また、特許文献４（特開２００３−２０３３４３号公報）にはＣＤ−Ｒ、ＤＶＤ−Ｒの記録ストラテジ調整法が記載されている。さらに、特許文献５（特開２００５−２１６３４７号公報）には、ＤＶＤ−Ｒの記録ストラテジ調整法が開示されている。
【０００９】
次世代ＤＶＤであるＨＤ  ＤＶＤは、従来のＤＶＤに比べ容量が非常に高く（３倍以上）、信号の読み出しにＰＲＭＬ（Ｐａｒｔｉａｌ  Ｒｅｓｐｏｎｓｅ  Ｍａｘｉｍｕｍ  Ｌｉｋｅｌｉｈｏｏｄ）技術を使用している。ＰＲＭＬ技術は記録信号間の干渉を予め見積もり、確からしいと思われる信号パターンを予測しデコードするものである（例えば、非特許文献１参照。）。ＨＤ  ＤＶＤではＰＲ（１，２，２，２，１）という非常に干渉の大きなクラスのＰＲＭＬを使っている。それは、自身前後の記録マークの前エッジ、後エッジの状態が、再生信号に大きく影響してくることを意味している。また、記録ストラテジの調整が非常に微妙な調整になることを意味している。
【００１０】
ＰＲＭＬ検出をする場合、再生波形の信号品質を評価するときに使用される指標がいくつかある（例えば、非特許文献２参照。）。そのひとつとして、ＰＲＳＮＲ（Ｐａｒｔｉａｌ  Ｒｅｓｐｏｎｓｅ  Ｓｉｇｎａｌ  ｔｏ  Ｎｏｉｓｅ  Ｒａｔｉｏ）がある。これは従来のＤＶＤの再生波形の信号品質の評価に使われていたジッタに変わる指標である。ＨＤ  ＤＶＤのような高密度の光ディスクでは、従来のジッタは使用できない場合がある。ＰＲＳＮＲとは、ユークリッド距離が短く、システムのネックとなっているパスに関して、下記（１）式で計算を行い、ネックとなるパスが複数個ある場合は、各パス間に対して下記（１）式を個別に計算し、その中で下記（１）式の値が、最も小さくなるパスの値をそのＰＲＭＬシステムのＳＮＲとして規定したものである。
【数１】
2009003987.tif 000003
ここでＥ［  ］で示される項は、期待値を表している。期待値とは各時刻で
【数２】
2009003987.tif 000004
を計算した場合に、期待される値であり、平均値と考えても良い。
【００１１】
ＰＲ（１，２，２，２，１）用のＰＲＳＮＲでは、εとして、
ε１＝（１，２，２，２，１）
ε２＝（１，２，１，０、−１、−２、−１）
ε３＝（１，２，１，０，０，０，１，２，１）
の３種類を選択し、それぞれのベクトルεに対して、その数式を算出し、得られた３通りのその数式の結果のうち、最小の値をＰＲＳＮＲ値として使用している。ＰＲＳＮＲは値が高ければ高いほど、信号品質が優れていることを意味し、ジッタやエラーレートとは逆である。
【００１２】
また、再生波形の品質を評価する他の方法としては、ダイレクトにエラーレートやＰＩエラーを求めてしまう方法もある。ＰＩエラーとは、ＥＣＣ（Ｅｒｒｏｒ  ｃｏｒｒｅｃｔｉｏｎ  ｃｏｄｅ）のインナー側のパリティによってエラーがあることが検出された行のトータル数を意味し、エラーレートと定性的にほぼ等しい意味で使用されている。
【００１３】
従来のＤＶＤはＥＦＭと呼ばれる変調符号を用いており、最短マークあるいは最短スペース長は３Ｔである。例えばＤＶＤ−Ｒの場合、ｎＴ（ｎは３以上の自然数）の長さの記録マークを記録する場合、ｎ−２個のパルスで記録を行う場合がある。
【００１４】
【特許文献１】特開２０００−１８２２４４号公報
【特許文献２】特開２０００−３０２５４号公報
【特許文献３】特開２００１−１５５３４０号公報
【特許文献４】特開２００３−２０３３４３号公報
【特許文献５】特開２００５−２１６３４７号公報
【非特許文献１】Ｍ．Ｎａｋａｎｏ  ｅｔ  ａｌ  Ｔｅｃｈｎｉｃａｌ  Ｄｉｇｅｓｔｓ  ｏｆ  ＯＤＳ  ２００１  （２００１）  ｐ．１４５
【非特許文献２】Ｊａｐａｎｅｓｅ  Ｊｏｕｒｎａｌ  ｏｆ  Ａｐｐｌｉｅｄ  Ｐｈｙｓｉｃｓ  Ｖｏｌ．４３，  Ｎｏ．７Ｂ，  ２００４，  ｐｐ．４８５９−４８６２  “Ｓｉｇｎａｌ−ｔｏ−Ｎｏｉｓｅ  Ｒａｔｉｏ  ｉｎ  ａ  ＰＲＭＬ  Ｄｅｔｅｃｔｉｏｎ”  Ｓ．ＯＨＫＵＢＯ  ｅｔ  ａｌ
【発明の開示】
【発明が解決しようとする課題】
【００１５】
ＨＤ  ＤＶＤでは、高密度化により上記のようなＰＲＭＬを用いて、記録ストラテジの調整処理において、複数のレーザパルスの制御パラメータを調整することもあり、最高の品質（又は特性）を得るために、長い調整時間を要することがある。また、多くの調整領域を使用して精密なパラメータ調整をすると、ディスクの記録領域の全てを、その調整で使い切ってしまうことがあった。例えば、追記型ディスクにおいては、データ記録に先立ち、調整領域において記録条件が適当かどうかを判断するためのテスト記録を行っている。上記のような記録ストラテジの調整処理では、テスト記録で調整領域の大部分を使用してしまうことがあった。
【課題を解決するための手段】
【００１６】
以下に、［発明を実施するための最良の形態］で使用される番号を用いて、課題を解決するための手段を説明する。これらの番号は、［特許請求の範囲］の記載と［発明を実施するための最良の形態］との対応関係を明らかにするために付加されたものである。ただし、それらの番号を、［特許請求の範囲］に記載されている発明の技術的範囲の解釈に用いてはならない。
【００１７】
上記課題を解決するために、マークとスペースによるパターン列を光学的情報記録媒体に形成する光学的情報記録再生装置のレーザ光の強度変調条件を調整する記録条件調整方法を以下の行為の連鎖によって実行する。ここにおいて、前記記録条件調整方法は、順次実行することによって、記録品質が段階的に向上する複数の調整段階を含むものとする。
この場合に、前記記録条件調整方法は、前記複数の調整段階のうちの任意の調整段階が終了したときに、記録に用いられるマークとスペースの品質が、予め設定された設定品質を満たすか否かを判定する判定ステップと、
その判定の結果、前記マークと前記スペースの品質が、前記設定品質を超えているときに、前記任意の調整段階で記録条件調整を終了する調整終了ステップとを具備することが必要とされる。
【００１８】
その記録条件調整方法において、前記マークと前記スペースの長さは、最短から最長まで１記録単位長単位で変化する場合であって、以下の行為の連鎖によって記録条件調整方法を行う。ここにおいて、前記複数の調整段階は、最短マーク記録のための最短マーク調整ステップと、記録するレーザパワーを調整する記録パワー調整ステップと、前記最短マークより１チャネルクロック長いマークを記録するための第１記録パルス幅調整ステップと、マークの直後のスペース長に応じてマークを記録する第２記録パルス幅調整ステップとを含むことが好ましい。そして、前記判定ステップは、前記最短マーク調整ステップ、前記記録パワー調整ステップと、前記第１記録パルス幅調整ステップとおよび前記第２記録パルス幅調整ステップの少なくとも一つを実行した後に前記マークと前記スペースの品質が前記設定品質を満たすか否かを判定する。
【発明の効果】
【００１９】
従来の記録ストラテジ調整では、必ずしもユーザの使用目的にあった調整ができていなかった。また、ＨＤ  ＤＶＤのような高密度で、調整するパラメータが多いディスクでは、どこまで調整すればどれぐらいの品質が得られるのか明確になっていなかった。
【００２０】
すなわち、詳細な記録ストラテジ調整をおこなうと、調整時間が長くかかるという弊害があるにもかかわらず、単に、調整手法として詳細な記録ストラテジ調整手法が決められているというだけで、ストラテジ決定に時間を要してしまうことがあった。例えば、ディスクへの記録にあたり、簡単な調整だけで一定レベル以上のＳＮＲが得られているにも関わらず、引き続き詳細調整ステップをおこなう手順となっている場合がこれに相当する。
【００２１】
本発明によると、光ディスクの記録条件調整を実行する場合に、記録品質とストラテジ調整時間のバランスを考慮して、所望の記録品質条件を設定することにより、調整に要する時間あるいは使用するテスト領域を必要な記録品質を維持しつつ調整時間を短縮することが出来る。
【発明を実施するための最良の形態】
【００２２】
以下に、図面を参照して本発明を実施するための形態について説明を行う。なお、以下の実施形態においては、追記型メディア（以下、ＨＤ  ＤＶＤ−Ｒと呼ぶ）に対する記録ストラテジの調整を実行する場合に対応して説明を行う。本実施形態におけるＨＤ  ＤＶＤ−Ｒは、情報記録媒体として１度だけ記録が可能な追記型なメディアである。また、本実施形態におけるＨＤ  ＤＶＤ−Ｒは、記録を行うと反射率が高くなるタイプの媒体で、Ｌｏｗ−ｔｏ−Ｈｉｇｈメディアと呼ばれる種類の光ディスクである。
【００２３】
ディスクの物理構造としては、ポリカーボネイトからなる、厚さが０．６ｍｍ、直径が１２ｃｍである円板状の透明な基板に、プリグルーブと呼ばれる案内溝が形成されており、記録及び再生時には、光ディスクドライブ（情報記録再生装置１）の光ビームが、この案内溝に沿って走査できるようになっている。この基板上に記録用の膜を成膜する。また、物理フォーマットとしては、ビットピッチが０．１５μｍ、トラックピッチが０．４０μｍのイングルーブ・フォーマットである場合に対応して本実施形態の説明を行う。
【００２４】
図１は、本発明の光学的情報処理装置１０の構成を例示するブロック図である。以下に述べる実施形態においては、光学的情報処理装置１０が、情報記録再生装置１を内蔵するコンピュータである場合を例示して、その構成と動作について説明を行う。光学的情報処理装置１０は、情報記録再生装置１とホスト１６とを含んで構成され、それらはバス１７を介して接続されている。
【００２５】
図１に示されているように、情報記録再生装置１は、光ディスク１５を駆動するスピンドル駆動系２と、光ディスク１５に光を照射する光ヘッド部３と、入力信号にフィルタリング等の処理を行うＲＦ回路部４と、入力信号を復調する復調器５と、装置全体を統括するシステムコントローラ９と、記録すべき信号を変調する変調器６と、光ヘッド部３のレーザダイオード１１（ＬＤ）を駆動するＬＤ駆動系７と、サーボ信号をコントロールするサーボコントローラ８とを含んで構成されている。
【００２６】
また、光ヘッド部３は、レーザダイオード１１と、対物レンズ１２と、ビームスプリッタ１３と、光検出器１４とを含んで構成されている。ビームスプリッタ１３は、レーザダイオード１１から出力される光を対物レンズ１２に反射させている。また、ビームスプリッタ１３は、光ディスク１５からの反射光を、透過して光検出器１４に供給している。光検出器１４は、光ディスク１５が反射する反射光を検出し、検出信号をＲＦ回路部４に供給している。
【００２７】
ホスト１６は、ユーザの要求する記録品質で情報記録再生装置１が光ディスク１５に情報を記録するように、情報記録再生装置１のシステムコントローラ９へ記録品質条件の情報を送っている。また、ホスト１６は、入力装置２０と表示装置１９とに接続されている。入力装置２０は、ホスト１６へデータを入力するためのマンマシンインターフェースである。入力装置２０として、例えば、キーボードやマウスなどが例示される。表示装置１９は、ホスト１６の処理結果を外部に出力するためのマンマシンインターフェースである。表示装置１９として、例えば、ディスプレイやプリンタなどが例示される。
【００２８】
システムコントローラ９は、記録ストラテジ調整器２１と、記録品質判定器２２と、調整段階切り替え器２３と、レジスタ２４とを含んで構成されている。図２は、システムコントローラ９の構成を例示するブロック図である。記録ストラテジ調整器２１は、記録ストラテジ、記録パワー、バイアスパワーの調整をコントロールしている。
【００２９】
記録品質判定器２２は、記録ストラテジ調整時に、ＲＦ信号から計算された評価指標と、ホスト１６からのストラテジ調整の終了条件から、この時点で記録調整を終了するのかを判定する。調整段階切り替え器２３は、その記録品質判定器２２の判定結果より、次のステップの記録調整を行うのか記録調整を終了するのかを切り替えている。レジスタ２４は、ホスト１６からのストラテジ調整の終了条件を保持している。
【００３０】
図３は、本実施形態のＲＦ回路部４の構成を例示するブロック図である。光ヘッド部３からの信号は、ＲＦ回路部４に入力され、フィルタリング、イコライジング、ＰＬＬ等の処理を施される。図３に示されているように、ＲＦ回路部４は、プリフィルタ３１と、オートゲインコントロール３２と、Ａ／Ｄコンバータ３３と、フェーズ・ロックド・ループ３４と、適応等化器３５と、ビタビ復号器３６とを含んで構成されている。また、本実施形態のＲＦ回路部４は、ＰＲＳＮＲの計算を実行している。
【００３１】
本実施形態のＲＦ回路部４においては、適応等化後の信号と、ビタビ復号後のデータ列信号が信号比較器に入力され、信号比較器によってＰＲＳＮＲが計算される。ＰＲＳＮＲ計算時に必要な各時刻のノイズは、ビタビ複合後のデータ列信号と（１，２，２，２，１）ベクトルの畳み込み積分により求められる理想信号波形と適応等化後の信号（実際信号波形）の差として算出される。
【００３２】
図４は、（ｋ）型のパルストレインと（ｋ−１）型パルストレインの波形を例示する波形図である。以下の実施形態では、本願発明の理解を容易にするために、図４に示されている（ｋ−１）型のパルストレインを適用した場合に対応して、本実施形態の説明を行う。情報記録再生装置１は、図４に示される記録ストラテジに対応した調整が行われるものとする。
【００３３】
図５は、システムコントローラ９の記録ストラテジ調整器２１で実行される調整シーケンスを例示するフローチャートである。システムコントローラ９の記録ストラテジ調整器２１は、ＲＦ回路部４から送られてくるＰＲＳＮＲや、復調器５によって復調されたデータ列から得られるＰＩエラーによって、記録条件と信号品質の対応を認識し、一連の調整シーケンスをコントロールし、最適な記録ストラテジの調整を行う。図５を参照すると、上述の情報記録再生装置１において、記録ストラテジ調整器２１は、ベースストラテジ決定処理Ｓ１と、最短マークトップパルス幅決定処理Ｓ２と、記録パワー決定処理Ｓ３と、特定マークトップパルス幅決定処理Ｓ４と、後続スペース長対応後縁調整処理Ｓ５とを順次実行する機能を備えている。
【００３４】
本実施形態においては、図４に記載されるTtop、Tmp、Tlpの幅を同じにしたまま一律にその幅を振り、記録されたマーク、スペース信号の品質がもっとも良好な（最も性能が良い）パルス幅を求める工程をベースストラテジ決定処理Ｓ１としている。なお、本実施形態では、情報記録再生装置１は、出射可能記録パワーの上限パワーが１２ｍＷに対応しているものとする。この場合において、ベースストラテジ決定処理Ｓ１では、調整対象となる複数種類の媒体の平均的なパワーマージン分と経時変化や環境変化等を考慮にいれ、所定のパワーとして、記録パワーを９．０ｍＷとする。また、バイアスパワーを３．６ｍＷとする。また、ベースストラテジ決定処理Ｓ１を実行する時にＰＲＭＬ検出し、ＰＲＳＮＲを測定する。ベースストラテジ決定処理Ｓ１では、トップパルス、ミドルパルス、ラストパルスを全て同一パルス幅としながら、基本パルス幅を０．３８Ｔから０．８６Ｔまで０．０３Ｔのステップ幅にて変更してＰＲＳＮＲを用いて基本パルス幅を求めベースストラテジの決定を実施する。
【００３５】
最短マークトップパルス幅決定処理Ｓ２では、ベースストラテジ決定処理Ｓ１で求めた基本パルス幅を元に最短マークに対応したトップパルス幅を、ＰＲＳＮＲを用いて決定する。この時のパルス幅は基本パルス幅を中心に基本パルス幅＋（略−０．０６Ｔ  〜＋０．１８Ｔ）を略０．０３Ｔステップにて変更してトップパルス幅を決定する。
【００３６】
記録パワー決定処理Ｓ３では、初期の所定のパワーを中心に記録パワー、バイアスパワー各々を略±２０％の範囲を５％のステップにて変更してＰＲＳＮＲを用いて順次パワーを決定する。
【００３７】
特定マークトップパルス幅決定処理Ｓ４では、最短マークより１記録単位長（１Ｔ）以上長いいずれかの長さのマークを記録するためのトップパルスの幅を変更することにより最短マークより長いマーク記録のためのトップパルスの幅を設定する（第２のトップパルス幅設定ステップ）。ＥＴＭ変調の場合、最短が２Ｔ（最長は１３Ｔ）なので、３Ｔ以上のマークがこれ（最短マークより１記録単位長（１Ｔ）以上長いマーク）にあたる。本実施形態においては、３Ｔと４Ｔ以上とカテゴリー分けをして調整を行い、４Ｔ以上に関しては全て同一のトップパルス幅とする。調整の順番は３Ｔ、４Ｔ以上の順とし、ベースストラテジ決定処理Ｓ１で求めた基本パルス幅を元に、３Ｔのマークに対応したトップパルス幅、４Ｔ以上のマークに対応したトップパルス幅の順にトップパルス幅を順次決定した。この時のパルス幅は基本パルス幅を中心に基本パルス幅＋（略−０．０６Ｔ  〜＋０．１８Ｔ）を略０．０３Ｔステップにてパルスの前縁を変更してトップパルス幅を、ＰＲＳＮＲを指標に用いて決定する。
【００３８】
後続スペース長対応後縁調整処理Ｓ５では、特定マークトップパルス幅決定処理Ｓ４までで決定されたパラメータを基に、直後のスペース長が２Ｔの場合、３Ｔの場合、４Ｔ以上の場合の２Ｔ，３Ｔ，４Ｔ以上の各マーク長に対応する記録ストラテジの最後端エッジ位置を、ベースストラテジ決定処理Ｓ１で求めたパルス幅＋（略−０．２１Ｔ〜＋０．１２Ｔ）の範囲を略０．０６Ｔステップにて同一量、同一方向に変更しつつ、媒体に記録、記録した領域を再生してＰＲＳＮＲが最良となるパラメータを決定する。つまり、特定マークとして２Ｔマーク以上のマークに対するその前段階記録ストラテジの最後端立下りエッジ位置を、そのマーク直後のスペース長に応じて同一量だけ変化させる一律後縁調整を行う。調整の順番としては、直後のスペース長が２Ｔの場合、３Ｔの場合、４Ｔ以上の順番とし、各調整ではその前の調整で得られた結果を用いる。
【００３９】
図５に示されている調整は、ステップＳ１からステップＳ５を、その順番にしたがって実行することで、段階的に記録品質が向上することを発明者らは見出した。記録パワー決定処理Ｓ３〜後続スペース長対応後縁調整処理Ｓ５で調整を終了したときに、異なる種類の複数のディスク（第１〜第４ディスク）に生じるＰＩエラー４８を示すテーブル（以下、ＰＩエラー表示テーブル４７と呼ぶ。）を図９に示す。同図からわかるように、本発明によれば調整ステップ毎に段階的に記録品質が向上する。このような調整方法によれば局所最適に陥ることはないので、調整ステップの途中で調整を中止しても、そこまでの調整ステップにより得られる最良の記録品質が得られる。
【００４０】
図９のＰＩエラー表示テーブル４７を参照すると、記録パワー決定処理Ｓ３で記録ストラテジ調整を終了したときの、第１ディスクのＰＩエラー４８は、１１２である、第２ディスクのＰＩエラー４８は、３７７であり、第３ディスクのＰＩエラー４８は、７７であり、第４ディスクのＰＩエラー４８は、１７２である。また、特定マークトップパルス幅決定処理Ｓ４で記録ストラテジ調整を終了したときの、第１ディスクのＰＩエラー４８は、２３であり、第２ディスクのＰＩエラー４８は、１３２であり、第３ディスクのＰＩエラー４８は、２０であり、第４ディスクのＰＩエラー４８は、５６である。また、後続スペース長対応後縁調整処理Ｓ５で記録ストラテジ調整を終了したときの、第１ディスクのＰＩエラー４８は、１９であり、第２ディスクのＰＩエラー４８は、２５であり、第３ディスクのＰＩエラー４８は、８であり、第４ディスクのＰＩエラー４８は、１０である。
【００４１】
所定値をＰＩエラー３０以下とした場合に、第１ディスクは、その記録パワー決定処理Ｓ３の段階で、エラーが十分低い状態となっている。しかしながら第２ディスクでは、特定マークトップパルス幅決定処理Ｓ４まで調整しないとＰＩエラー数が低減されなくなっている。つまり、ディスクによって、特定マークトップパルス幅決定処理Ｓ４（この例での最終ステップ）は殆ど不要であるものと、特定マークトップパルス幅決定処理Ｓ４まで実施しないと十分な品質が得られないものが存在する。また、ＰＩエラー数が１５０以下で良いとすると、第１ディスクと第３ディスクでは、最短マークトップパルス幅決定処理Ｓ２を行った後に、ストラテジ調整を終了しても良ことになる。また、第２ディスクと第４ディスクも記録パワー決定処理Ｓ３行った後にストラテジ調整を終了して良くなる。
【００４２】
高い記録品質を実現するためには特定マークトップパルス幅決定処理Ｓ４（つまり最終ステップ）まで必要とする媒体が存在する以上、可能な限りの詳細調整ステップ（本例では特定マークトップパルス幅決定処理Ｓ４）まで備えなければならないのは当然であるが、要求される記録品質が十分に高くなくとも良い場合があることや、媒体によっては途中までの調整で十分な記録品質を達成するものが存在することを考えると、全ての媒体、全ての記録調整において、最終ステップまで実行する必要はない。そこで、定められた条件を満たせば、記録条件調整を終了する手法が考えられる。
【００４３】
一方、ユーザの使用目的には、多少品質を犠牲にして、短い時間と少ない調整領域で記録ストラテジ調整を終了させるのか、または、長い時間を費やし多くの調整領域を使用して精密なパラメータ調整をするのかを決定するのは、必ずしもドライブが決定するものではなく、本発明によれば、ユーザの使用目的に応じた記録品質を維持しつつ、最短時間で調整を行うことができる。
【００４４】
上述したように、本実施形態の情報記録再生装置１は、光ディスクの記録条件調整を実行する場合に、記録品質とストラテジ調整時間のバランスを考慮した所望の記録品質条件を設定することが可能な機能を備えている。ユーザは、記録品質とストラテジ調整時間のバランスを考慮して、所望の記録品質条件を設定する。図６は、ホスト１６の表示装置に表示されたアプリケーション画面イメージ４４の構成を例示する図である。アプリケーション画面イメージ４４は、ホスト１６がアプリケーション１８を実行することによって、その表示装置の表示画面に描画される。ユーザは、ホスト１６の入力装置を用いて、所望の記録品質条件を入力する。これによって、ユーザの決定を元に、ストラテジ調整段階を設定・決定ができる。
【００４５】
図６に示されているように、アプリケーション画面イメージ４４は、調整段階設定領域４５と、調整度合い設定領域４６とを含んで構成されている。調整段階設定領域４５には、ストラテジ調整段階設定を行うか否かを設定するためのラジオボタンが備えられている。調整度合い設定領域４６には、ストラテジ調整をどの程度の精度で行うかを設定するためラジオボタンが備えられている。ここでの調整度合いとは、ユーザがＰＩエラーなどの専門的指標を意識することなく調整段階を選択出来るように『粗調』と『微調』との精度の段階で示している。ホスト１６は、ユーザの操作に応答して、アプリケーション画面イメージ４４を介して入力された情報を、情報記録再生装置１に供給する。したがって、ユーザは、任意に記録ストラテジの調整終了タイミングを指定し、記録性能の段階を指示することができる。
【００４６】
なお、図６には、調整段階を『粗調』から『微調』までの４つの段階で例示している。この構成は、本発明を限定的に解釈させるためのものではない。例えば、調整時間を指針にした場合、最短時間を示す画像を『粗調』が表示されている位置に表示させ、最長時間を示す画像を『微調』が表示されている位置に表示させてもよい。さらに、調整段階も『粗調』から『微調』までを、４段階に制限されること無く、任意に区切って段階的に調整可能とすることができる。また、メディアの記録品質を指針にする場合には、『粗調』が表示されている位置に低品質と表示させ、『微調』が表示されている位置に最高品質と表示させても良い。メディアの寿命を指針にする場合には、『粗調』が表示されている位置に短寿命と表示させ、『微調』が表示されている位置に長寿命と表示させても良い。また、安定性を指針にしたい場合には、『粗調』が表示されている位置に安定性小と表示させ、『微調』が表示されている位置に安定性大と表示させても良い。このように、指針を変更し、また、調整段階を任意に区切って段階的に調整可能とするようなアプリケーション画面イメージ４４を構成することで、ユーザフレンドリーなアプリケーション画面イメージ４４を構成することができる。
【００４７】
本実施形態においては、ストラテジの調整度合いを第１調整度合いから第４調整度合いの４段階に分け、その調整度合いをユーザが選択する場合を例示している。本実施形態において、調整度合い設定領域４６に示されるストラテジ調整の度合いは、この４段階に制限されるものではなく、変更することが可能である。図７は、調整度合い４２とストラテジ調整終了条件４３との対応を示すテーブル（以下、ストラテジ調整終了条件テーブル４１と呼ぶ。）である。なお、本実施形態において、ストラテジ調整終了条件テーブル４１は、記録品質判定器２２やホスト１６などに備えられていてもよい。
図７を参照すると、ストラテジ調整終了条件テーブル４１は、調整度合い４２に対応して、ＳＮＲと同じ意味を持つＰＩエラーを指標とした終了条件４３を保持している。この指標として、ＰＲＳＮＲを使用しても良い。図７に示されているように、例えば、調整度合い設定領域４６の“３”にチェックが入れられたとき、その情報がシステムコントローラ９に送信される。システムコントローラ９では、ストラテジ調整終了条件テーブル４１の調整度合い４２の第３調整度合いが選択されたと判断し、その第３調整度合いに対応する終了条件４３が選択される。このとき終了条件４３に示される条件に基づいて、『ＰＩエラーが３０以下になったときに調整処理を終了する』ようにレジスタ２４にその第３調整度合いに対応する数量条件４３が設定される。
【００４８】
本実施形態の情報記録再生装置１は、性能品質の異なる複数種類のＨＤ  ＤＶＤ−Ｒディスクに対し、事前にディスク性能を把握し、そのデータを保持している。システムコントローラ９は、予め保持されているディスク性能に基づいて、ストラテジ調整の終了／継続の判断を行っている。本実施形態の情報記録再生装置１は、ストラテジ調整終了条件テーブル４１とＰＩエラー表示テーブル４７とを参照して、どのタイミングで記録ストラテジ調整を終了するかを自動的に判断している。図８は、本実施形態の動作を例示するフローチャートである。本実施形態では、それぞれのステップにおいて調整を終了する切り替え位置が用意されている。この切り替え位置において、ディスクに記録された信号の再生特性を評価する。このとき、例えばＰＲＳＮＲまたはＰＩにおいてドライブがホスト１６から指示されてレジスタに保持された値以上であれば、この段階で調整を終了してよいと判断する。
【００４９】
図８を参照すると、ステップＳ１０１においてベースストラテジ決定処理Ｓ１を実行する。その後、ステップＳ１０２において、最短マークトップパルス幅決定処理Ｓ２を実行する。ステップＳ１０３において、システムコントローラ９は、第１性能判定処理を実行する。ここで、システムコントローラ９の記録品質判定器２２は、ＲＦ信号から計算された評価指標と、ホスト１６から供給され、レジスタ２４に保持されているストラテジ調整の終了条件から、次のステップとなる記録調整を行うのか、この時点で記録調整を終了するのかを判定する。その判定の結果、設定された性能を満たすだけの調整値が得られた場合には、処理は終了する。その判定の結果、この段階でＰＲＳＮＲまたはＰＩにおいてドライブがホスト１６から指示されてレジスタに保持された値以下であれば調整は不十分であると判断し、更に詳細な調整手順に移行する。ここでの所定の規定値は、ユーザの使用目的によりユーザが設定決定できるものとする。したがって、設定された性能を満たしていない場合には、処理はステップＳ１０４に進む。ステップＳ１０４において、記録パワー決定処理Ｓ３を実行する。
【００５０】
ステップＳ１０５において、システムコントローラ９は、記録パワー決定処理Ｓ３の実行結果に基づいて、第２性能判定処理を実行する。ここで、システムコントローラ９の記録品質判定器２２は、ＲＦ信号から計算された評価指標と、ホスト１６から供給され、レジスタ２４に保持されているストラテジ調整の終了条件から、次のステップとなる記録調整を行うのか、この時点で記録調整を終了するのかを判定する。その判定の結果、設定された性能を満たすだけの調整値が得られた場合には、処理は終了する。その判定の結果、設定された性能を満たしていない場合には、処理はステップＳ１０６に進む。ステップＳ１０６において、特定マークトップパルス幅決定処理Ｓ４を実行する。
【００５１】
ステップＳ１０７において、システムコントローラ９は、特定マークトップパルス幅決定処理Ｓ４の実行結果に基づいて、第２性能判定処理を実行する。ここで、システムコントローラ９の記録品質判定器２２は、ＲＦ信号から計算された評価指標と、ホスト１６から供給され、レジスタ２４に保持されているストラテジ調整の終了条件から、次のステップとなる記録調整を行うのか、この時点で記録調整を終了するのかを判定する。その判定の結果、設定された性能を満たすだけの調整値が得られた場合には、処理は終了する。その判定の結果、設定された性能を満たしていない場合には、処理はステップＳ１０８に進む。ステップＳ１０８において、後続スペース長対応後縁調整処理Ｓ５を実行した後、処理は終了する。
【００５２】
ホスト１６は、ユーザの操作に応答して、情報記録再生装置１のシステムコントローラ９へ記録品質条件の情報を送っている。これによって、情報記録再生装置１の記録ストラテジ調整器２１は、記録ストラテジをユーザの必要とする記録品質に調整することができる。ユーザは、ホスト１６を介して、一連の記録条件調整において、調整時間優先あるいは再生性能優先を選択できる。上述のように、記録ストラテジ調整を終了するポイントを、ユーザがホスト１６を介して決定をでき、ユーザの求める記録品質を維持しつつ、ストラテジ調整時間を短縮することが出来る。これは、時間的にユーザにとって大きなメリットとなる。なお、上述の情報記録再生装置１において、調整手順とＰＩエラーの関係を知らせる機能を設けることで、ユーザに今後の判断材料を示す構成を備えていても良い。
【００５３】
ここにおいて、ユーザが、調整度合いとして第３調整度合いを選択した場合の本実施形態の動作を説明する。また、本実施形態の具体的な動作に関する理解を容易にするために、第１ディスクと第２ディスクとを特定して、本実施形態の動作の説明を行う。
【００５４】
上述のステップＳ１０４において、両ディスク（第１ディスクと第２ディスク）に対して、記録パワー決定処理Ｓ３が終了した場合のＰＩエラーは、
第１ディスク：ＰＩエラー１１２
第２ディスク：ＰＩエラー３３７
となる。
【００５５】
ステップＳ１０５の判定の結果、第１ディスク、第２ディスクともに、
調整後のＰＩエラー＞ＰＩエラー３０
であるので、処理はステップＳ１０６に進む。ステップＳ１０６では、特定マークトップパルス幅決定処理Ｓ４が実行される。両ディスク（第１ディスクと第２ディスク）に対して、特定マークトップパルス幅決定処理Ｓ４が終了した場合のＰＩエラーは、
第１ディスク：ＰＩエラー２３
第２ディスク：ＰＩエラー１３２
となる。
【００５６】
ステップＳ１０７において、第１ディスクに記録された信号の再生特性として、ＰＩエラー２３が得られ、このＰＩエラーが３０以下であることから、この段階で調整を終了する。一方、第２ディスクに対しては、この段階でのＰＩエラーが１３２であったために、ここまでの調整では不十分であると判断し、処理はステップＳ１０８に進む。
【００５７】
本実施形態の記録条件調整方法が有効に機能し、特定マークトップパルス幅決定処理Ｓ４の終了可否判定ポイントにおいては、第１ディスクに記録された信号の再生特性として、ＰＩエラー２３が得られ、このＰＩエラーが３０以下であることから、この段階で調整を終了した。一方、第２ディスクに対しては、この段階でのＰＩエラーが１３２であったために、ここまでの調整では不十分であると判断し、次の調整ステップを実施し、後続スペース長対応後縁調整処理Ｓ５終了時には、ＰＩエラーが２５に収束した。
【００５８】
また、ユーザが調整度合いとして第２調整度合いを選択した場合には、記録パワー決定処理Ｓ３の終了可否判定ポイントにおいては、第１ディスクに記録された信号の再生特性として、ＰＩエラー１１２が得られ、このＰＩエラーが１５０以下であることから、この段階で調整を終了する。一方、第２ディスクに対しては、この段階でのＰＩエラーが３７７であったために、ここまでの調整では不十分であると判断し、次の調整ステップを実施し、特定マークトップパルス幅決定処理Ｓ４終了時には、ＰＩエラーにおいて１３２が得られたためこのＰＩエラー１５０以下であることから、この段階で調整を終了する。
【００５９】
このように、調整度合いが第２調整度合いであっても第３調整度合いであっても、ユーザが選択した条件を満たした最短な調整ステップで終了することができる。したがって、本実施形態では、ユーザの要望や使用目的に応じて、ストラテジ調整のステップを短縮することができ、ユーザからの記録調整段階の指示を仰ぎ、その指示での条件を満たす最短のステップにおいて記録ストラテジ調整を終了することが可能となる。
【００６０】
ここにおいて、光学的情報処理装置１０における情報記録再生装置１の調整度合いを設定する動作に関して、図面を参照して説明を行う。図１０は、情報記録再生装置１の調整度合い設定の動作を例示するシーケンス図である。ステップＳ２０１において、ユーザは、情報記録再生装置１の調整度合いを設定（または変更）する。このとき、ユーザは入力装置２０を介してアプリケーション起動命令をホスト１６に入力する。ホスト１６は、そのアプリケーション起動命令に応答して、アプリケーション１８を起動する。ホスト１６は、アプリケーション１８の起動に応答して、上述の図６に例示されるようなアプリケーション画面イメージ４４を表示装置１９に表示する。
【００６１】
ステップＳ２０２において、ホスト１６は、アプリケーション画面イメージ４４を介して設定値の入力をユーザに要求する。ステップＳ２０３において、ユーザは、その要求に応答してアプリケーション画面イメージ４４を介して所望の設定値を入力する。本実施形態においては、調整段階設定領域４５のラジオボタンを介して、段階的なストラテジ調整を行うか否かを設定する場合を例示する。また、調整度合い設定領域４６に示されているラジオボタンを選択することで、調整度合いを設定する場合を例示する。
【００６２】
ステップＳ２０４において、ホスト１６は、アプリケーション画面イメージ４４を介して設定値が入力されたことに応答して情報記録再生装置１のシステムコントローラ９に、ストラテジ調整実行命令を送信する。システムコントローラ９は、そのストラテジ調整実行命令に応答して、ステラトジ調整プログラムを起動する。情報記録再生装置１は、そのステラトジ調整プログラムに示される手順に従って調整動作を実行する。
【００６３】
ステップＳ２０５において、情報記録再生装置１は、ユーザから設定された設定値の入力を要求する。ステップＳ２０６において、ホスト１６は、ステップＳ２０３で入力された設定値をシステムコントローラ９に供給する。その後、情報記録再生装置１は、供給された設定値に基づいて、ステラトジ調整プログラムに示される手順に従って調整動作を実行する。
【００６４】
ステップＳ２０７において、情報記録再生装置１は、調整が終了したときに、調整終了を示すメッセージをホスト１６に送信する。ステップＳ２０８において、ホスト１６は、そのメッセージに応答して、ストラテジ調整終了を、表示装置１９を介してユーザに通知する。
【００６５】
上述してきたように、本実施形態の光学的情報処理装置１０においては、光学的情報記録媒体のストラテジ調整の調整度合いを、ユーザが設定することが可能である。本実施形態の光学的情報処理装置１０は、表示装置１９を介してアプリケーション画面イメージ４４を提供するアプリケーション１８を備えている。ホスト１６は、アプリケーション１８に示される手順に従って動作することで、ユーザに対し、調整度合いや操作方法がわかりやすいインターフェースを提供している。これによって、本実施形態の光学的情報処理装置１０では、ストラテジ調整に関する知識に精通していないユーザであっても、簡素な操作で所望の調整度合いを設定することができる。
【図面の簡単な説明】
【００６６】
【図１】図１は、本実施形態の光学的情報処理装置１０の構成を例示するブロック図である。
【図２】図２は、本実施形態のシステムコントローラ９の構成を例示するブロック図である。
【図３】図３は、本実施形態のＲＦ回路部４の構成を例示するブロック図である。
【図４】図４は、（ｋ）型のパルストレインと（ｋ−１）型パルストレインの波形を例示する波形図である。
【図５】図５は、記録ストラテジ調整器２１で実行される調整シーケンスを例示するブロック図である。
【図６】図６は、アプリケーション画面イメージ４４の構成を例示するテーブルである。
【図７】図７は、ストラテジ調整終了条件テーブル４１の構成を例示する図である。
【図８】図８は、本実施形態の動作を例示するフローチャートである。
【図９】図９は、ＰＩエラー表示テーブル４７の構成を例示するテーブルである。
【図１０】図１０は、ストラテジ調整の動作を例示するシーケンス図である。
【符号の説明】
【００６７】
１…情報記録再生装置
１０…光学的情報処理装置
２…スピンドル駆動系
３…光ヘッド部
４…ＲＦ回路部
５…復調器
６…変調器
７…ＬＤ駆動系
８…サーボコントローラ
９…システムコントローラ
１１…レーザダイオード
１２…対物レンズ
１３…ビームスプリッタ
１４…光検出器
１５…光ディスク
１６…ホスト
１７…バス
１８…アプリケーション
１９…表示装置
２０…入力装置
２１…記録ストラテジ調整器
２２…記録品質判定器
２３…調整段階切り替え器
２４…レジスタ
３１…プリフィルタ
３２…オートゲインコントロール
３３…Ａ／Ｄコンバータ
３４…フェーズ・ロックド・ループ
３５…適応等化器
３６…ビタビ復号器
４１…ストラテジ調整終了条件テーブル
４２…調整度合い
４３…終了条件
４４…アプリケーション画面イメージ
４５…調整段階設定領域
４６…調整度合い設定領域
４７…ＰＩエラー表示テーブル
４８…ＰＩエラー
Ｓ１…ベースストラテジ決定処理
Ｓ２…最短マークトップパルス幅決定処理
Ｓ３…記録パワー決定処理
Ｓ４…特定マークトップパルス幅決定処理
Ｓ５…後続スペース長対応後縁調整処理
【図１】
2009003987.tif 000005
【図２】
2009003987.tif 000006
【図３】
2009003987.tif 000007
【図４】
2009003987.tif 000008
【図５】
2009003987.tif 000009
【図６】
2009003987.tif 000010
【図７】
2009003987.tif 000011
【図８】
2009003987.tif 000012
【図９】
2009003987.tif 000013
【図１０】
2009003987.tif 000014